(57)【要約】移動通信システムにおいて、複数の端末機（ＵＥ）によるランダムアクセスを制御する方法に関する。移動通信システムは、基地局（Ｎｏｄｅ−Ｂ）と、無線網制御器（ＲＮＣ）と、グループシグナリングに関連したＵＥの個数を示す情報をＲＮＣへ提供するサービスノードとを含む。ＵＥは、グループシグナリングに応答し、ＲＮＣは、ＵＥの個数を参照し、ＵＥのランダムアクセスを制御するのに必要なバックオフ範囲を示すバックオフウィンドー値を計算し、グループシグナリングメッセージ内に計算された値を含み、ＵＥにグループシグナリングメッセージを伝送する。ＵＥは、バックオフウィンドー値に基づく範囲内のバックオフ値をランダムにそれぞれ選択し、選択されたバックオフ値に該当する時間区間の間待機した後、応答メッセージを伝送する。従って、無線メッセージの混雑及び衝突を緩和させることができる。
2006515737.tif 000002
【特許請求の範囲】
【請求項１】
複数のセルに位置する複数の端末機と無線通信を遂行する基地局（Ｎｏｄｅ−Ｂ）と、前記基地局を制御する無線網制御器（ＲＮＣ）と、前記無線網制御器を接続するサービスノード（ＳＧＳＮ）とから構成され、前記コアネットワークからのブロードキャスト／マルチキャストサービスデータを前記無線網制御器を通して前記端末機へ伝送する移動通信システムにおいて、前記端末機が１つのグループシグナリングメッセージに応答する必要があると、前記端末機が前記移動通信システムをランダムアクセスすることを前記無線網制御器によって制御する方法であって、
前記サービスノードから前記グループシグナリングに関連した端末機の数を示す情報を受信するステップと、
前記グループシグナリングが要求されると、前記端末機の数を参照して、前記端末機のランダムアクセスを制御するのに必要なバックオフ範囲を示すバックオフウィンドー値を計算するステップと、
前記計算されたバックオフウィンドー値をグループシグナリングメッセージに含ませて前記端末機へ伝送するステップと
を含むことを特徴とする方法。
【請求項２】
前記バックオフウィンドー値を計算するステップは、
前記端末機の数及び各セル内のランダムアクセスに割当て可能な資源量を参照して実行されることを特徴とする請求項１記載の方法。
【請求項３】
前記サービスノードから前記グループシグナリングに関連して加入（join）された端末機のリストと、前記加入された端末機が位置する複数のセルを含むルーティング領域に位置する端末機の数を示す情報とを受信するステップと、
前記端末機のリストから接続モードにある端末機の数を示す第１の値を計算するステップと、
前記ルーティング領域に位置した端末機の数を前記ルーティング領域に含まれたセルの数で割ってアイドルモードにある端末機の数を示す第２の値を計算するステップと、
前記第１の値と前記第２の値とを合わせて前記グループシグナリングに関連した前記端末機の個数を計算するステップと
をさらに含むことを特徴とする請求項１記載の方法。
【請求項４】
前記グループシグナリングメッセージを伝送する各セル内のランダムアクセスに割当て可能なシグネチャーの個数、アクセススロットセットの個数、及び持続値で前記資源量を計算するステップをさらに含むことを特徴とする請求項２記載の方法。
【請求項５】
前記バックオフウィンドー値は、前記端末機の数を前記資源量で割った後、所定の加重値を乗じて計算されることを特徴とする請求項２記載の方法。
【請求項６】
前記グループシグナリングメッセージは、ブロードキャスト／マルチキャストサービスのためのグループページングメッセージ又は無線ベアラー設定メッセージであることを特徴とする請求項１記載の方法。
【請求項７】
複数のセルに位置する複数の端末機と無線通信を遂行する基地局（Ｎｏｄｅ−Ｂ）と、前記基地局を制御する無線網制御器（ＲＮＣ）と、前記無線網制御器をコアネットワークに接続するサービスノード（ＳＧＳＮ）とから構成され、前記コアネットワークからのブロードキャスト／マルチキャストサービスデータを前記無線網制御器を通して前記端末機へ伝送する移動通信システムにおいて、前記端末機が１つのグループシグナリングメッセージに応答する必要があると、前記端末機のそれぞれが前記移動通信システムへのランダムアクセスを遂行する方法であって、
前記端末機のそれぞれが位置したセルに従って決定された所定のバックオフウィンドー値を含むグループシグナリングメッセージを受信するステップと、
前記グループシグナリングメッセージに対する応答が要求されると、前記バックオフウィンドー値に基づく範囲内でランダムにバックオフ値を選択するステップと、
前記ランダムに選択されたバックオフ値に該当する時間区間の間待機した後、ランダムアクセスチャンネルを介して前記グループシグナリングメッセージに対応する応答メッセージを伝送するステップと
を含むことを特徴とする方法。
【請求項８】
前記バックオフ値をランダムに選択するステップは、“０”と前記バックオフウィンドー値との間の整数のうち、同一の確率で選択された１つの整数を前記バックオフ値として決定することを特徴とする請求項７記載の方法。
【請求項９】
前記グループシグナリングメッセージは、ブロードキャスト／マルチキャストサービスのためのグループページングメッセージ又は無線ベアラー設定メッセージであることを特徴とする請求項７記載の方法。
【請求項１０】
複数のセルに位置する複数の端末機と無線通信を遂行する基地局（Ｎｏｄｅ−Ｂ）と、前記基地局を制御する無線網制御器（ＲＮＣ）と、前記無線網制御器をコアネットワークに接続するサービスノード（ＳＧＳＮ）とから構成され、前記コアネットワークからのブロードキャスト／マルチキャストサービスデータを前記無線網制御器を通して前記端末機へ伝送する移動通信システムにおいて、前記端末機が１つのグループシグナリングメッセージに応答する必要があると、前記複数の端末機がランダムアクセスの遂行を制御する方法であって、
前記サービスノードから前記グループシグナリングに関連した端末機の数を示す情報を受信するステップと、
前記グループシグナリングが要求されると、前記受信された情報に含まれた前記端末機の数を参照して、前記端末機のランダムアクセスを制御するのに必要なバックオフ範囲を示すバックオフウィンドー値を計算するステップと、
前記計算されたバックオフウィンドー値を含むグループシグナリングメッセージを前記端末機へ伝送するステップと、
前記端末機が前記グループシグナリングメッセージに応答して、前記バックオフウィンドー値に基づく範囲内でランダムにバックオフ値をそれぞれ選択するステップと、
前記ランダムに選択されたバックオフ値に該当する時間区間の間待機した後、ランダムアクセスチャンネルを介して前記グループシグナリングメッセージに対応する応答メッセージを前記端末機から前記無線網制御器へ伝送するステップと
を含むことを特徴とする方法。
【請求項１１】
前記バックオフウィンドー値を計算するステップは、
前記受信された情報に含まれた端末機の数及び特定のセル内でランダムアクセスに割当て可能な資源量を参照して実行されることを特徴とする請求項１０記載の方法。
【請求項１２】
前記無線網制御器で、前記サービスノードから前記グループシグナリングに関連して加入（join）された端末機のリストと、前記加入された端末機が位置する複数のセルを含むルーティング領域に位置する端末機の数を示す情報とを受信するステップと、
前記無線網制御器で、前記端末機のリストから接続モードにある端末機の数を示す第１の値を計算し、前記ルーティング領域に位置した端末機の数を前記ルーティング領域に含まれたセルの数で割ってアイドルモードにある端末機の数を示す第２の値を計算し、前記第１の値と前記第２の値とを合わせて、前記グループシグナリングに関連した前記端末機の個数を計算するステップとをさらに含むことを特徴とする請求項１０記載の方法。
【請求項１３】
前記無線網制御器で、前記グループシグナリングメッセージを伝送する各セルでランダムアクセスに割当て可能なシグネチャーの個数、アクセススロットセットの個数、及び持続値で前記資源量を計算するステップをさらに含むことを特徴とする請求項１１記載の方法。
【請求項１４】
前記バックオフウィンドー値は、前記端末機の数を前記資源量で割った後、所定の加重値を乗じて計算されることを特徴とする請求項１１記載の方法。
【請求項１５】
前記バックオフ値をランダムに選択するステップは、“０”と前記バックオフウィンドー値との間の整数のうち、同一の確率で選択された１つの整数を前記バックオフ値として決定することを特徴とする請求項１０記載の方法。
【請求項１６】
前記グループシグナリングメッセージは、ブロードキャスト／マルチキャストサービスのためのグループページングメッセージ又は無線ベアラー設定メッセージであることを特徴とする請求項１０記載の方法。
【請求項１７】
複数のセルに位置する複数の端末機と無線通信を遂行する基地局（Ｎｏｄｅ−Ｂ）と、前記基地局を制御する無線網制御器（ＲＮＣ）と、前記無線網制御器をコアネットワークに接続するサービスノード（ＳＧＳＮ）とから構成され、前記コアネットワークからのブロードキャスト／マルチキャストサービスデータを前記無線網制御器を通して前記端末機へ伝送する移動通信システムにおいて、前記端末機が１つのグループシグナリングメッセージに応答する必要があると、前記端末機によるランダムアクセスの遂行を制御する方法であって、
前記サービスノードで、グループシグナリングを要求するサービスに加入（join）された接続モードにある端末機のリストと、ルーティング領域別にグループシグナリングを要求するサービスに加入されたアイドルモードにある端末機の数とを更新するステップと、
応答が必要なグループシグナリングを要求するために、前記端末機のリスト及び前記ルーティング領域別端末機の数を示す情報を含むグループシグナリング要求メッセージを前記サービスノードから無線網制御器へ伝送するステップと
を含むことを特徴とする方法。
【請求項１８】
前記無線網制御器で、前記端末機のリスト及び前記ルーティング領域別端末機の数を参照して、前記端末機のランダムアクセスのためのバックオフ範囲を示すバックオフウィンドー値を計算し、前記計算されたバックオフウィンドー値をグループシグナリングメッセージに含ませて前記端末機へ伝送するステップをさらに含むことを特徴とする請求項１７記載の方法。
【請求項１９】
前記無線網制御器で、前記端末機のリストから接続モードにある端末機の数を示す第１の値を計算し、前記ルーティング領域に位置した端末機の数を前記ルーティング領域に含まれたセルの数で割ってアイドルモードにある端末機の数を示す第２の値を計算し、前記第１の値と前記第２の値とを合わせて、前記グループシグナリングに関連した前記端末機の個数を計算するステップをさらに含むことを特徴とする請求項１７記載の方法。
【請求項２０】
前記無線網制御器で、前記グループシグナリングメッセージを伝送する各セルでランダムアクセスに割当て可能なシグネチャーの個数、アクセススロットセットの個数、及び持続値で前記資源量を計算し、前記端末機の数を前記資源量で割った後、所定の加重値を乗じて前記バックオフウィンドー値を計算することを特徴とする請求項１９記載の方法。
【請求項２１】
前記端末機が前記グループシグナリングメッセージに応答して、前記バックオフウィンドー値に基づく範囲内でランダムにバックオフ値をそれぞれ選択し、前記ランダムに選択されたバックオフ値に該当する時間区間の間待機した後、前記グループシグナリングメッセージに対応する応答メッセージをランダムアクセスチャンネルを介してそれぞれ伝送するステップをさらに含むことを特徴とする請求項１７記載の方法。
【請求項２２】
前記端末機が“０”と前記バックオフウィンドー値との間の整数のうち、同一の確率で選択された１つの整数を前記バックオフ値として決定することを特徴とする請求項２１記載の方法。
【請求項２３】
前記応答メッセージを伝送する前に、前記端末機が前記選択されたバックオフ値の無線フレームの個数に該当する時間区間の間に待機することを特徴とする請求項２１記載の方法。
【請求項２４】
前記グループシグナリングメッセージは、
ブロードキャスト／マルチキャストサービスのためのグループページングメッセージ又は無線ベアラー設定メッセージであることを特徴とする請求項１８記載の方法。
【発明の詳細な説明】
【技術分野】
【０００１】
本発明は、移動通信システムに関し、特に、複数の端末機が上り方向(uplink)メッセージをランダムアクセスチャンネル（Random Access Channel: 以下、ＲＡＣＨと称する）を介して同時に伝送することによって発生するメッセージ衝突を防止するために、上り方向メッセージの伝送時間区間の情報を効率的に提供する方法に関する。
【背景技術】
【０００２】
通常に、一般パケットラジオサービス（General Packet Radio Services；ＧＰＲＳ）に基づく通信システムでは、複数の端末機（User Equipment；ＵＥ）が上り方向データを伝送するために、ＲＡＣＨを使用することができる。従来、ランダムアクセスは、システムによる制御無しに、各ＵＥがデータを発生すると、任意の送信動作を開始するように遂行される。このようなランダムアクセスは、システムによる集中的なチャンネル監視動作無しに、伝送帯域を効率的に且つ実用的に使用されるようにする。
【０００３】
複数のＵＥによって同一の時点でＲＡＣＨを介してメッセージを頻繁に伝送するマルチメディアブロードキャスト／マルチキャストサービス（Multimedia Broadcast／Multicast Service；以下、‘ＭＢＭＳサービス’と称する）の場合、ＲＡＣＨの効果的な管理は、非常に重要である。
【０００４】
上記“ＭＢＭＳ”とは、無線ネットワークを介して同一のマルチメディアデータを複数の受信者へ伝送するサービスを意味する。
【０００５】
図１は、ＭＢＭＳサービスを支援する装置を概略的に示すブロック図である。ＵＥ１６１、１６２、１６３、１７１、及び１７２は、ＭＢＭＳサービスを受信することができる使用者端末機、すなわち、加入者を意味する。第１のＮｏｄｅ Ｂ１６０及び第２のＮｏｄｅ Ｂ１７０は、無線チャンネルを介してＵＥに接続され、ＭＢＭＳ関連データを伝送する基地局（base station；ＢＳ）を意味する。無線網制御器（Radio Network Controller；ＲＮＣ）１４０は、複数のＢＳを制御する無線網制御器（base station controller；ＢＳＣ）を意味し、マルチメディアデータを特定のセルへ選択的に伝送する機能を遂行し、ＭＢＭＳサービスを提供するために設定されている無線チャンネルを制御する機能を遂行する。ＲＮＣ１４０及びＮｏｄｅ Ｂ１６０及び１７０は、無線アクセスネットワーク（Radio Access Network；ＲＡＮ）を形成する。
【０００６】
サービスパケット無線サービス支援ノード（Serving GPRS Support Node; 以下、‘ＳＧＳＮ’と略称する）１３０は、各加入者のＭＢＭＳ関連サービスを制御する機能を遂行する。例えば、各加入者のサービス課金関連データを管理する機能とＭＢＭＳデータを特定のＲＮＣ１４０に選択的に伝送する機能とを実行する。運送ＮＷ（Transit Network）１２０は、ＭＢ−ＳＣ（Multicast／Broadcast Service Center）１１０とＳＧＳＮ１３０との間の通信路を提供する機能を遂行する。運送ＮＷ１２０は、ＧＧＳＮ（Gateway GPRS Support Node；図示省略）及び外部網を含むことができる。ＭＢ−ＳＣ１１０は、ＭＢＭＳデータのソースを示し、各データのスケジューリングの責任を持っている。図１には示されていないが、ホームロケーションレジスタ（Home Location Register；ＨＬＲ）は、ＳＧＳＮ１３０に接続され、各加入者を認証する機能を遂行する。
【０００７】
図１に示すように、ＭＢＭＳデータストリームは、運送ＮＷ１２０、ＳＧＳＮ１３０、ＲＮＣ１４０、及びＮｏｄｅ Ｂ１６０と１７０を介して、ＵＥ１６１、１６２、１６３、１７１、及び１７２へ伝送される。図１に示されていないが、１つのＭＢＭＳサービスに対して、複数のＳＧＳＮ１３０及び各ＳＧＳＮ１３０に対応する複数のＲＮＣ１４０が存在することができる。また、ＳＧＳＮ１３０は、ＲＮＣ１４０にデータを選択的に伝送する機能を遂行しなければならない。また、ＲＮＣ１４０は、Ｎｏｄｅ Ｂ１６０及び１７０にデータを選択的に伝送する機能を遂行しなければならない。このために、ＳＧＳＮ１３０及びＲＮＣ１４０は、ＲＮＣのリスト及びＮｏｄｅ Ｂのリストをデータストリームを受信する下位ネットワーク要素（Network Element）として貯蔵する。そうすると、ＳＧＳＮ１３０及びＲＮＣ１４０は、前記貯蔵されているリストの少なくとも１つのネットワーク要素にのみＭＢＭＳデータを選択的に伝送する。
【０００８】
特定のＭＢＭＳサービスを提供するための加入者とネットワークとの間の動作について説明する。ここで、ＣＮは、ＳＧＳＮ、運送ＮＷ、ＭＢ−ＳＣ、及びＧＧＳＮで構成されるコアネットワーク（Core Network；ＣＮ）を意味し、このうち、ＲＮＣに直接に接続される要素は、ＳＧＳＮである。
【０００９】
ＵＥは、ＭＢＭＳマルチキャストサービスを提供するサービスプロバイダーを通してサービス加入（Subscription）過程を遂行する。ＣＮがＭＢＭＳの特定のサービスを提供するとき、サービスプロバイダーは、上記ＭＢＭＳサービスに加入したＵＥにサービス通知（Service Announcement）を遂行する。このとき、各ＵＥは、該当ＭＢＭＳサービスを受信するために、加入者グループに参加するサービス参加手順（Joining Procedure）を遂行する。その後、ＣＮは、ＭＢＭＳデータをマルチキャスト領域へ伝送するのに必要なネットワーク資源を割り当てる。このとき、ＭＢＭＳサービス通知を通して加入したＭＢＭＳサービスに関連したデータが伝送されることをＵＥに通知する。そうすると、ＭＢＭＳデータがＵＥへ伝送される。ＭＢＭＳデータがこれ以上発生しないと、ＭＢＭＳデータを伝送するための資源が解除される。
【００１０】
図２を参照して、ＣＮがＭＢＭＳサービスをＵＥへ提供するようにする動作についてさらに具体的に説明する。上記ＣＮは、図２に示したＳＧＳＮ、運送ＮＷ、及びＭＢ−ＳＣを含むが、ここでは、ＳＧＳＮを主に参照して動作を説明する。
【００１１】
ステップ２００で、通知を通して特定のＭＢＭＳサービスに対する基本情報を認知すると、ＵＥは、ステップ２０１で、所望のＭＢＭＳサービスに参加するために、ＡＣＴＩＶＡＴＥ ＭＢＭＳ ＰＤＰ ＣＯＮＴＥＸＴ ＲＥＱＵＥＳＴメッセージをＳＧＳＮへ伝送する。このような動作は、ＭＢＭＳサービスを用いるのに必要な加入者プロファイルを貯蔵しているパケットデータプロトコル（Packet Data Protocol；ＰＤＰ）コンテキストを活性化させるためである。
【００１２】
上記メッセージを受信したＳＧＳＮは、上記ＵＥが該当サービスを要請した最初のＵＥであれば、上記ＵＥに対するＭＢＭＳ ＰＤＰコンテキストを構成して貯蔵する。ＳＧＳＮは、ＧＧＳＮとＧＰＲＳトンネリングプロトコル（GPRS Tunneling Protocol；ＧＴＰ）に基づくトンネルセットアップ（tunnel setup）を遂行して、サービス関連情報をＧＧＳＮに通知し、ＧＧＳＮと論理的識別子を交換する。上記ＧＴＰトンネルセットアップに関する詳細な事項は、第３世代移動体通信システムの標準化プロジェクト技術仕様（3rd Generation Partnership Project (3GPP) Technical Specification (TS)）２３．０６０に説明されている。上記ＭＢＭＳ ＰＤＰコンテキストは、特定のＭＢＭＳサービスに関連した情報を含んでいる変数の集合であり、ＭＢＭＳ ＰＤＰコンテキストの活性化を要求したＵＥのリスト、ＵＥ位置情報（又はＲＮＣ識別子）、及び該当ＭＢＭＳデータを伝送するトランスポートベアラーに関連した情報を含むことができる。ステップ２０２で、ＳＧＳＮは、ＡＣＴＩＶＡＴＥ ＭＢＭＳ ＰＤＰ ＣＯＮＴＥＸＴ ＡＣＣＥＰＴメッセージをＵＥへ伝送し、上記参加動作が完了したことを通知する。
【００１３】
ＳＧＳＮは、上記ＭＢＭＳサービス開始の直前、又は、一番目のＭＢＭＳデータを受信した時に、上記ＭＢＭＳサービスを受信しようとするＵＥ、すなわち、ＰＤＰコンテキストの活性化を要求するＵＥを通知手順を通して呼び出す。以下、上記通知手順について説明する。
【００１４】
ステップ２０３で、ＳＧＳＮがＲＮＣにＮＯＴＩＦＩＣＡＴＩＯＮメッセージを伝送する。言い換えれば、ＮＯＴＩＦＩＣＡＴＩＯＮメッセージを受信するセルとは、ステップ２０１及び２０２での参加手順を遂行するＵＥが位置しているセルを意味する。
【００１５】
ステップ２０４で、ＲＮＣは、下位セルに位置する接続モード（connected mode）のＵＥのリストを認知し、該当ルーティング領域（Routing Area；ＲＡ）に対応するセルを認知する。従って、ＲＮＣは、どんなセルが上記ＮＯＴＩＦＩＣＡＴＩＯＮメッセージを受信するかを決定する。そうすると、ＲＮＣは、上記決定されたセルに上記ＮＯＴＩＦＩＣＡＴＩＯＮメッセージを伝送する。ステップ２０４でのＮＯＴＩＦＩＣＡＴＩＯＮメッセージは、呼び出そうとするＭＢＭＳサービスＩＤを含み、上記ＮＯＴＩＦＩＣＡＴＩＯＮメッセージを受信するＵＥは、上記ＭＢＭＳサービスＩＤを参照して、自身が受信しようとするＭＢＭＳサービスが開始されるはずか否かを判断することができる。
【００１６】
上記ＮＯＴＩＦＩＣＡＴＩＯＮメッセージは、１つのメッセージを複数のＵＥが受信するグループシグナリングのために使用される。すなわち、上記ＮＯＴＩＦＩＣＡＴＩＯＮメッセージを受信するセルからＮ個のＵＥが上記ＭＢＭＳサービスデータを受信しようとする場合、上記ＮＯＴＩＦＩＣＡＴＩＯＮメッセージに応答するＵＥの数は、“ｎ”個になる。ＲＮＣは、上記ＮＯＴＩＦＩＣＡＴＩＯＮメッセージを伝送した後、それに対する応答の受信を待機し、ランダムアクセスチャンネル（Random Access Channel；ＲＡＣＨ）を監視する。
【００１７】
ステップ２０５で、ＵＥは、上記ＭＢＭＳサービスの受信を確約するために、又は、上記ＮＯＴＩＦＩＣＡＴＩＯＮメッセージを受信したことをＳＧＳＮへ通知するために、ＮＯＴＩＦＩＣＡＴＩＯＮ ＲＥＳＰＯＮＳＥメッセージをＲＮＣを通してＳＧＳＮへ伝送する。上記ＮＯＴＩＦＩＣＡＴＩＯＮ ＲＥＳＰＯＮＳＥメッセージは、ＭＢＭＳサービスＩＤを含むことができる。上記ＮＯＴＩＦＩＣＡＴＩＯＮ ＲＥＳＰＯＮＳＥメッセージがグループシグナリングに対する応答であるので、複数のＵＥが上記ＮＯＴＩＦＩＣＡＴＩＯＮ ＲＥＳＰＯＮＳＥメッセージを同時に発生させることができる。
【００１８】
上記ＮＯＴＩＦＩＣＡＴＩＯＮメッセージを受信するＵＥのうち、上り方向専用チャンネルを有していないＣｅｌｌ＿ＦＡＣＨ／Ｃｅｌｌ＿ＰＣＨ／ＵＲＡ＿ＰＣＨ状態又はアイドルモードにあるＵＥは、上記ＮＯＴＩＦＩＣＡＴＩＯＮ ＲＥＳＰＯＮＳＥメッセージをＲＡＣＨという共通上り方向チャンネルを通して伝送する。上記ＲＡＣＨについては、３ＧＰＰ ＴＳ２５．３３１、ＴＳ ２５．２１４、ＴＳ ２５．３２１などに説明されている。
【００１９】
ＳＧＳＮは、ＵＥから伝送されたＮＯＴＩＦＩＣＡＴＩＯＮ ＲＥＳＰＯＮＳＥメッセージを集め、ＭＢＭＳ ＰＤＰコンテキストでリストを更新する。上記リストは、ＲＮＣ別に接続モードで動作し、該当ＭＢＭＳサービスの受信を確約したＵＥのリストと、ＲＡ別にアイドルモード（アイドルモード）で動作し、該当ＭＢＭＳサービスの受信を確約したＵＥのリストとを含む。
【００２０】
ステップ２０６で、ＳＧＳＮは、ＲＮＣにＭＢＭＳ ＲＢ ＡＳＳＩＧＮＭＥＮＴ ＲＥＱＵＥＳＴメッセージを伝送する。上記ＭＢＭＳ ＲＢ ＡＳＳＩＧＮＭＥＮＴ ＲＥＱＵＥＳＴメッセージは、ＭＢＭＳサービスを提供するために要求されるＱｏＳ（Quality of Service）情報を含むことができる。上記ＲＢは、ＳＧＳＮとＲＮＣとの間のＩｕインターフェースのためのトランスポートベアラー、ＲＮＣとＮｏｄｅ−Ｂとの間のＩｕｂインターフェースのためのトランスポートベアラー、及び他の無線インターフェースを含む。Ｉｕインターフェースは、ＳＧＳＮとＲＮＣとの間のインターフェースであり、Ｉｕｂインターフェースは、ＲＮＣとＮｏｄｅ−Ｂとの間のインターフェースである。[Details of Multimedia Broadcast/Multicast Service Architecture and Functional Description state 2 in the 3rd Generation Partnership Project (3GPP) Technical Specification (TS) 23.246.]
【００２１】
ＲＮＣは、ステップ２０６で受信されたＱｏＳ情報に従ってセル別にＭＢＭＳ ＲＢ情報を決定する。上記ＭＢＭＳ ＲＢ情報は、レイヤー１（Ｌ１）情報及びをレイヤー２（Ｌ２）情報を含む。上記Ｌ２情報は、無線リンク制御（Radio Link Control；ＲＬＣ）／パケットデータ制御プロトコル（Packet Data Control Protocol；ＰＤＣＰ）に関連した情報などを含み、上記Ｌ１情報は、ＴＦＳ（Transport Format Set）情報、ＴＦＣＳ（Transport Format Combination Set）情報、チャンネル化コード情報（channelization code information）、及び伝送電力関連情報（transmission power-related information）などを含む。
【００２２】
ステップ２０７で、ＲＮＣは、上記決定されたＭＢＭＳ ＲＢ情報をＭＢＭＳ ＲＢ ＳＥＴＵＰメッセージを通して該当ＵＥへ伝送する。上記ＭＢＭＳ ＲＢ ＳＥＴＵＰメッセージがグループシグナリングメッセージであるので、ステップ２０８で、上記ＵＥは、上記メッセージに対する応答であるＭＢＭＳ ＲＢ ＳＥＴＵＰ ＣＯＭＰＬＥＴＥメッセージを同時に伝送することができる。ＭＢＭＳ ＲＢの設定がＭＢＭＳデータ伝送準備の完了を意味するに従って、ステップ２０９で、ＲＮＣは、ＭＢＭＳ ＲＢ ＡＳＳＩＧＮＭＥＮＴ ＲＥＳＰＯＮＳＥメッセージを通してＳＧＳＮにＭＢＭＳ ＲＢ 設定が完了したことを通知し、ステップ２１０で、ＳＧＳＮは、ＭＢＭＳデータの伝送を開始する。
【００２３】
上述したように、複数のＵＥに同一の情報を提供するグループシグナリング メッセージ（例えば、ＮＯＴＩＦＩＣＡＴＩＯＮメッセージ又はＭＢＭＳ ＲＢ ＳＥＴＵＰメッセージ）は、同一の時点で複数の応答メッセージが伝送されるようにすることができ、上記応答メッセージは、ＵＥの動作モードに従ってＲＡＣＨを通して伝送されることができる。
【００２４】
図３を参照して、ＲＡＣＨ伝送動作を簡単に説明すると、下記の通りである。ＲＡＣＨは、専用チャンネルを使用していないＵＥ、すなわち、Ｃｅｌｌ＿ＦＡＣＨ／Ｃｅｌｌ＿ＰＣＨ／ＵＲＡ＿ＰＣＨ状態又はアイドルモードにあるＵＥが上り方向データを伝送するためのチャンネルである。ＲＡＣＨの伝送に使用される無線資源の集合は、下記の通りである。
【００２５】
１．プリアンブルスクランブリングコードは、特定のＲＡＣＨに対応する１つのスクランブリングコードを示す。プリアンブル３１１、３１２、３１３、３１４、３２１、３２２、及び３２３及びＲＡＣＨデータ３１５及び３２４は、該当プリアンブルスクランブリングコードでスクランブリングされる。
【００２６】
２．シグネチャーセットは、直交可変拡散率（Orthogonal Variable Spreading Factor；ＯＶＳＦ）符号を示す。拡散係数（Spreading Factor；ＳＦ）１６を有する最大１６個のＯＶＳＦ（Orthogonal Variable Spreading Factor）符号は、１つのＲＡＣＨに割り当てられることができる。上記シグネチャーセットは、プリアンブル及びＲＡＣＨデータをコーディングするのに使用される。
【００２７】
３．アクセススロットセットは、２個のタイムスロットから構成され、各アクセススロットの開始点でプリアンブルの伝送が開始される。
【００２８】
以下、図４を参照して、ＲＡＣＨ伝送に関連したＵＥの動作について説明する。図３は、図４で具体的に説明される。
【００２９】
ステップ４０１で、アイドルモード又はＣｅｌｌ＿ＰＣＨ／ＵＲＡ＿ＰＣＨ／Ｃｅｌｌ＿ＦＡＣＨ状態のＵＥが上り方向に伝送されるデータが存在すると判断する場合、ＵＥの動作は、ステップ４０２に進行する。ステップ４０１は、該当ＵＥがグループシグナリングメッセージを受信するか、又は位置情報更新メッセージを伝送する必要がある場合に該当する。
【００３０】
ステップ４０２乃至ステップ４０７は、ＲＡＣＨ伝送動作に該当する。各ＵＥは、特定の時点でＲＡＣＨを介して伝送しようとするデータの種類に従って、アクセスサービスクラス（Access Service Class；ＡＳＣ）が割り当てられ、各ＡＳＣは、対応する持続値を有する。ＡＳＣは、データストリームのタイプに基づく伝送方式を区別するために使用される。ＡＳＣは、０から７まで８個が存在し、各ＡＳＣは、持続値、使用可能なシグネチャーセット、及び使用可能なアクセススロットセットに該当する。上述した情報は、システム情報としてあらかじめＵＥへ伝送される。
【００３１】
各ＵＥは、相互に異なる無線ベアラーを通して伝送される多様な種類のデータストリームを有することができる。例えば、上記無線ベアラーは、制御メッセージを伝送するための無線ベアラーと音声通話のための他の無線ベアラーとを含むことができる。上記無線ベアラーは、無線ベアラーセットアップ過程を通して設定される。このとき、上記無線ベアラーに対応するＡＳＣが割り当てられる。ステップ４０１で、伝送される上り方向データが発生する場合、ＵＥは、上記データを伝送するための無線ベアラーに対応するＡＳＣを認知する。
【００３２】
ステップ４０２で、ＵＥは、上記発生したデータストリームに関連した該当ＡＳＣの持続値を用いて、持続値検査（持続値 test）、すなわち、“ｐ”検査を実施する。上記持続値は、０と１との間の実数値であり、本質的に、上記持続値検査の成功確率を意味する。すなわち、０．５の持続値は、持続値検査を成功する確率が５０％であることを意味する。上記持続値検査が成功する場合、ステップ４０３に進行し、一方、上記持続値検査が成功しない場合、ＵＥは、１０ｍｓの間、待機した後、上記持続値検査をさらに実行する。
【００３３】
ステップ４０３で、ＵＥは、ＲＡＣＨプリアンブルを伝送する。このとき、ＵＥは、ＡＳＣに対応する使用可能なシグネチャーのうちの１つをランダムに（Randomly）選択し、上記ランダムに選択されたシグネチャーを用いてＲＡＣＨプリアンブルをコーディングし、所定の初期伝送電力で上記コーディングされたＲＡＣＨプリアンブルを伝送する。上記初期伝送電力の設定が３ＧＰＰ ＴＳ２５．３３１に詳細に説明されているので、ここでは、その説明を省略する。
【００３４】
ステップ４０４で、ＵＥは、ＡＩＣＨ（Acquisition Indication Channel）を監視する。Ｎｏｄｅ−Ｂは、上記プリアンブル信号をＡＩＣＨを介して成功的に受信したことを特定のプリアンブルを伝送するＵＥへ通知する。同時に、上記ＡＩＣＨは、ＲＡＣＨを介してメッセージの伝送を許容するＡＣＫ（Acknowledge）又はＮＡＣＫ（Non-acknowledge）信号を伝送するのに使用される。
【００３５】
ＡＩＣＨを介して何の応答も認知されないと、ＵＥは、ステップ４０６に進行する。ステップ４０６で、ＵＥは、該当ＡＳＣに関連した使用可能なシグネチャーのうちの１つを再選択し、送信電力を所定のステップサイズだけ増加させる。そうすると、ＵＥは、ステップ５０３に戻って、上記再選択されたシグネチャーと上記増加された伝送電力を使用して上記ＲＡＣＨプリアンブルを再伝送する。ＵＥは、ステップ４０６を通して、Ｎｏｄｅ−Ｂが上記ＲＡＣＨプリアンブルを認知することができる確率を高めることができる。
【００３６】
上記ＡＣＫ信号がＡＩＣＨから感知される場合、ＵＥは、ステップ４０５に進行してＲＡＣＨデータを伝送する。このとき、ＲＡＣＨデータを伝送する前に、ＵＥは、３又は４タイムスロットを待機する。上記ＲＡＣＨデータは、該当プリアンブルのシグネチャーと同一のＯＶＳＦコードツリー上に配列されたＯＶＳＦコードで拡散される。
【００３７】
一方、ＮＡＣＫ信号がＡＩＣＨから感知される場合、ＵＥは、ステップ４０７に進行して、“ＮＢＯ＿１*１０ｍｓ”の間に待機した後、ＵＥは、ステップ４０２に進行して、ＲＡＣＨ伝送動作を反復する。ここで、“ＮＢＯ＿１” は、システム情報値を示す。
【００３８】
図３を参照して、複数のＵＥが共有されるＲＡＣＨを用いる場合の動作について説明する。
【００３９】
第１のＵＥ３１０及び第２のＵＥ３２０が同一のＲＡＣＨを使用し、同一のシグネチャーセット及びアクセススロットセットを共有すると仮定する。第１のＵＥ３１０及び第２のＵＥ３２０が属するＡＳＣに対応するシグネチャーは、［Ｓ１、．．、Ｓ９］の９個のシグネチャーを含む。ここで、アクセススロットに関する考慮は省略するものとする。
【００４０】
第１のＵＥ３１０がシグネチャーＳ１を使用してプリアンブル３１１を伝送したが、ＡＣＫ又はＮＡＣＫ信号を受信しない場合、第１のＵＥ３１０は、新たに選択されたシグネチャーＳ２と前述のステップサイズだけ増加された伝送電力でプリアンブル３１２を伝送する。同様に、第１のＵＥ３１０がＡＩＣＨからシグネチャーＳ２に対する応答を受信できない場合、第１のＵＥ３１０は、シグネチャーＳ４又はＳ９を使用して前述のステップサイズずつ増加された伝送電力でプリアンブル３１３又は３１４を伝送する。Ｎｏｄｅ−Ｂ３５０がプリアンブル３１１、３１２、及び３１３を受信せず、プリアンブル３１４を受信すると、ＡＩＣＨを介してシグネチャーＳ９に関連したＡＣＫ信号３４１を伝送する。
【００４１】
また、第２のＵＥ３２０が伝送電力を増加させながらプリアンブル３２１、３２２、及び３２３を伝送し、プリアンブル３２３に対するＡＣＫ信号３４１をＡＩＣＨを介して受信する。
【００４２】
少なくとも２つのＵＥ３１０及び３２０が同一の時点で同一のシグネチャー Ｓ９を選択してプリアンブル３１４及び３２３を伝送する場合、第１のＵＥ３１０及び第２のＵＥ３２０は、自身のプリアンブル３１４及び３２３に対する応答としてＡＩＣＨからＡＣＫ信号３４１を感知し、それぞれＲＡＣＨデータ３１５及び３２４の伝送を開始する。
【００４３】
上述したように、上記ＲＡＣＨデータがＡＣＫ信号に対応するシグネチャーと同一のＯＶＳＦコードツリー上に配列されたＯＶＳＦコードを使用するので、ＲＡＣＨデータ３１５とＲＡＣＨデータ３２４との間には、直交性が存在しない。従って、Ｎｏｄｅ−Ｂは、ＲＡＣＨデータ３１５とＲＡＣＨデータ３２４とを正確に区分することができない。
【００４４】
このように、同一の時点で、複数のＵＥが同一のシグネチャーを選択する場合、ＲＡＣＨ信号伝送が失敗する可能性が増加し、少なくとも２つのＵＥが同一の時点で伝送動作を遂行するため、上り方向干渉（interference）を増加させることができる。
【００４５】
すなわち、上記ＲＡＣＨ信号伝送でのように、一般的な上り方向メッセージが複数のＵＥによって同時に伝送される場合、上り方向メッセージ間の衝突が発生する可能性が常に内在されている。
【００４６】
このような問題は、複数のＵＥが一つのグループシグナリングメッセージに基づくＲＡＣＨ信号を同時に伝送するＭＢＭＳサービスを遂行する場合に、さらに深刻になる。
【発明の開示】
【発明が解決しようとする課題】
【００４７】
上記背景に鑑みて、本発明の目的は、移動通信システムにおいて、複数の端末機が所定の上り方向メッセージを共有されるＲＡＣＨを介して同時に伝送することによって発生する衝突を防止するためのランダムアクセス方法を提供することにある。
【００４８】
本発明の他の目的は、端末機の数及びＲＡＣＨの容量を考慮して、端末機のランダムアクセスのためのバックオフ値を分散させる効率的なランダムアクセス方法を提供することにある。
【００４９】
本発明のまた他の目的は、ＭＢＭＳサービスを提供する移動通信システムにおいて、グループシグナリングメッセージを複数の端末機へ伝送するＲＮＣがセル別に上り方向応答メッセージの伝送区間の情報を提供する方法を提供することにある。
【００５０】
本発明のさらなる他の目的は、ＭＢＭＳサービスを提供する移動通信システムにおいて、複数の端末機が上り方向応答メッセージをグループシグナリングメッセージへ效率的に伝送する方法を提供することにある。
【００５１】
本発明のさらなる他の目的は、ＭＢＭＳサービスを提供する移動通信システムにおいて、上り方向応答メッセージに対する伝送区間を效率的に決定する方法を提供することにある。
【課題を解決するための手段】
【００５２】
このような目的を達成するために、本発明の１つの特徴によれば、複数のセルに位置する複数のＵＥと無線通信を遂行するＮｏｄｅ−Ｂと、上記Ｎｏｄｅ−Ｂを制御するＲＮＣと、上記ＲＮＣを接続するサービスノード（ＳＧＳＮ）とから構成され、上記ＣＮからのブロードキャスト／マルチキャストサービスデータを上記ＲＮＣを通して上記ＵＥへ伝送する移動通信システムにおいて、上記ＵＥが１つのグループシグナリングメッセージに応答する必要があると、上記ＵＥが上記移動通信システムをランダムアクセスすることを上記ＲＮＣによって制御する方法であって、上記サービスノードから上記グループシグナリングに関連したＵＥの数を示す情報を受信するステップと、グループシグナリングが要求されると、上記ＵＥの数を参照して、上記ＵＥのランダムアクセスを制御するのに必要なバックオフ範囲を示すバックオフウィンドー値を計算するステップと、上記計算されたバックオフウィンドー値をグループシグナリングメッセージに含ませて上記ＵＥへ伝送するステップとを含むことを特徴とする。
【００５３】
本発明の他の特徴によれば、複数のセルに位置する複数のＵＥと無線通信を遂行するＮｏｄｅ−Ｂと、上記Ｎｏｄｅ−Ｂを制御するＲＮＣと、上記ＲＮＣをＣＮに接続するサービスノード（ＳＧＳＮ）とから構成され、上記ＣＮからのブロードキャスト／マルチキャストサービスデータを上記ＲＮＣを通して上記ＵＥへ伝送する移動通信システムにおいて、上記ＵＥが１つのグループシグナリングメッセージに応答する必要があると、上記ＵＥのそれぞれが上記移動通信システムへのランダムアクセスを遂行する方法であって、上記ＵＥのそれぞれが位置したセルに従って決定された所定のバックオフウィンドー値を含むグループシグナリングメッセージを受信するステップと、上記グループシグナリングメッセージに対する応答が要求されると、上記バックオフウィンドー値に基づく範囲内でランダムにバックオフ値を選択するステップと、上記ランダムに選択されたバックオフ値に該当する時間区間の間待機した後、ランダムアクセスチャンネルを介して上記グループシグナリングメッセージに対応する応答メッセージを伝送するステップとを含むことを特徴とする。
【００５４】
本発明のまた他の特徴によれば、複数のセルに位置する複数のＵＥと無線通信を遂行するＮｏｄｅ−Ｂと、上記Ｎｏｄｅ−Ｂを制御するＲＮＣと、上記ＲＮＣをＣＮに接続するサービスノード（ＳＧＳＮ）とから構成され、上記ＣＮからのブロードキャスト／マルチキャストサービスデータを上記ＲＮＣを通して上記ＵＥへ伝送する移動通信システムにおいて、上記ＵＥが１つのグループシグナリングメッセージに応答する必要があると、上記複数のＵＥがランダムアクセスの遂行を制御する方法であって、上記サービスノードから上記ＲＮＣへ上記グループシグナリングに関連したＵＥの数を示す情報を受信するステップと、上記グループシグナルリングが要求されると、上記ＵＥのパケットデータサービスを制御するＲＮＣで特定のセルに位置したグループシグナルリングに関連したＵＥの数及び上記セル内でランダムアクセスに割当て可能な資源量を参照して、上記ＵＥのランダムアクセスを制御するのに必要なバックオフ範囲を示すバックオフウィンドー値を計算するステップと、上記計算されたバックオフウィンドー値を含むグループシグナリングメッセージを上記ＲＮＣから上記ＵＥへ伝送するステップと、上記ＵＥが上記グループシグナリングメッセージに応答して、上記バックオフウィンドー値に基づく範囲内でランダムにバックオフ値をそれぞれ選択するステップと、上記ランダムに選択されたバックオフ値に該当する時間区間の間待機した後、ランダムアクセスチャンネルを介して上記グループシグナリングメッセージに対応する応答メッセージを上記ＵＥから上記ＲＮＣへ伝送するステップとを含むことを特徴とする。
【発明の効果】
【００５５】
本発明は、複数のＵＥからの上り方向メッセージがＲＡＣＨを介して伝送される場合、特に、複数のＵＥによって同一の時点で上記ＲＡＣＨを介して上り方向メッセージが頻繁に伝送されるＭＢＭＳサービスにおいて、複数の上り方向メッセージが同時に伝送されることによって誘発されるＲＡＣＨ上の混雑及び衝突を緩和させることができる、という長所がある。
【発明を実施するための最良の形態】
【００５６】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００５７】
本発明は、ランダムアクセス方式に従って、ＵＥからのデータを上り方向に伝送する任意の移動通信システム又は任意の通信サービスにも適用可能である。特に、複数の端末機によって同一の時点で上記ランダムアクセスを介してメッセージを頻繁に伝送するマルチメディアブロードキャスト／マルチキャストサービス（ＭＢＭＳ）にさらに効率的に使用されることができる。
【００５８】
従って、本発明は、ＭＢＭＳに基づいて説明される。
【００５９】
後述される本発明の望ましい実施形態では、複数のＵＥがＲＡＣＨ信号を伝送する時点をランダムに分散させ、ＲＡＣＨ信号を同時に伝送するＵＥの個数を減少させることができる。このとき、特定のＭＢＭＳサービスの受信を望むＵＥの数及び使用可能なＲＡＣＨの容量、すなわち、資源量に従ってＲＡＣＨ信号の伝送時点を分散させることができる。このためには、各ＵＥがランダムアクセスの時点を決定するバックオフ（Back-off）値を使用する。ここで、上記バックオフ値は、伝送動作を試みる前の待機時間を意味する。
【００６０】
以下、図５乃至図８を参照して、本発明の望ましい実施形態による動作をさらに具体的に説明する。
【００６１】
セルＸでＭＢＭＳサービスＹに加入したＵＥの数が“ＮＯ＿ＵＥ＿Ｘ＿Ｙ”で示されると、ＲＮＣがＭＢＭＳサービスＹに対するグループシグナリングメッセージ、すなわち、ＮＯＴＩＦＩＣＡＴＩＯＮメッセージ、又はＭＢＭＳ ＲＢ ＳＥＴＵＰメッセージを伝送する場合、“ＮＯ＿ＵＥ＿Ｘ＿Ｙ”値に該当するＵＥがセルＸでＲＡＣＨ信号の伝送を試みることを分かる。
【００６２】
従って、ＲＮＣは、ＵＥに上記グループシグナリングメッセージに対する応答メッセージ、すなわち、ＮＯＴＩＦＩＣＡＴＩＯＮ ＲＥＳＰＯＮＳＥメッセージ又はＭＢＭＳ ＲＢ ＳＥＴＵＰ ＣＯＭＰＬＥＴＥメッセージを適切な期間、すなわち、“ＮＯ＿ＵＥ＿Ｘ＿Ｙ”の値に応じた所定の期間の間にランダムに伝送するように命令する。これは、ＲＮＣからＵＥへ伝送されるグループシグナリングメッセージにバックオフウィンドー値を含ませることによって実現される。
【００６３】
本発明の望ましい実施形態によるＵＥの動作を図５に示す。図５を図４と比較すると、図５は、ステップ５０２をさらに含む。ＲＡＣＨを介して上り方向信号が伝送されるべき場合、例えば、ＴＭＧＩ（Temporary MBMS Group Identifier）に関連したページングメッセージ又はＭＢＭＳ ＲＢ ＳＥＴＵＰメッセージを受信した場合、ＵＥは、バックオフ値に該当する時間区間の間に待機した後、ＲＡＣＨ信号の伝送を開始する。ここで、ＲＡＣＨ信号の伝送手順は、ステップ５０２乃至ステップ５０７で、ＲＡＣＨを介して任意のメッセージを伝送するための手順である。
【００６４】
ステップ５０１で、アイドルモード又はＣｅｌｌ＿ＰＣＨ／ＵＲＡ＿ＰＣＨ／Ｃｅｌｌ＿ＦＡＣＨ状態にあるＵＥは、受信しようとするＭＢＭＳサービスＹに対するグループシグナリングメッセージ、例えば、ＮＯＴＩＦＩＣＡＴＩＯＮメッセージ又はＭＢＭＳ ＲＢ ＳＥＴＵＰメッセージを受信する。上記グループシグナリングメッセージは、ＲＮＣによって決定されたバックオフウィンドー（Back-off Window；以下、‘ＢＯＷ’と称する）値を含む。ＵＥは、上記ＢＯＷ値を使用して、グループシグナリング応答メッセージを伝送する時点を決定する。ここで、ＭＢＭＳサービスＹに対するセルＸのＢＯＷ値は、“ＢＯＷ＿Ｘ＿Ｙ”で示される。
【００６５】
上記伝送時点は、上記ＢＯＷ値からランダムに選択された値に対応するので、複数のＵＥから伝送される応答メッセージが同一の時点で伝送されることを防止することができる。
【００６６】
“ＢＯＷ＿Ｘ＿Ｙ”の値を決定する場合、下記のような事項が考慮されなければならない。
【００６７】
まず、上記グループシグナリングメッセージを受信してＲＡＣＨを介して上記応答メッセージを伝送するＵＥの数、すなわち、“ＮＯ＿ＵＥ＿Ｘ＿Ｙ”を考慮しなければならない。
【００６８】
また、ＲＡＣＨ伝送資源がセルに従って異なることがあるので、上記グループシグナリングメッセージ、すなわち、“ＲＡＣＨ＿ＲＥＳＯＵＲＣＥ＿Ｘ”を受信するセルＸの使用可能なＲＡＣＨ伝送資源を考慮しなければならない。
【００６９】
【数１】
2006515737.tif 000003
【００７０】
上記式（１）によると、上記“ＢＯＷ＿Ｘ＿Ｙ”値は、セルＸを介して上記応答メッセージを伝送するＵＥの数を示す“ＮＯ＿ＵＥ＿Ｘ＿Ｙ”及びセルＸで使用可能なＲＡＣＨ伝送資源を示す“ＲＡＣＨ＿ＲＥＳＯＵＲＣＥ＿Ｘ”に関連した関係“ｆ”に基づく。ここで、上記関係“ｆ”は、システムによって設定されてもよい。
【００７１】
式（１）において、セルＸでK個のＲＡＣＨが使用される場合、セルＸのＲＡＣＨの全体資源量、すなわち、ＲＡＣＨ＿ＲＥＳＯＵＲＣＥ＿Ｘは、式（２）の通りである。
【００７２】
【数２】
2006515737.tif 000004
【００７３】
式（２）において、“ＲＡＣＨ＿ＲＥＳＯＵＲＣＥ＿ｋ”は、ｋ番目のＲＡＣＨに割り当てられたＲＡＣＨ伝送資源を意味する。上記“ＲＡＣＨ＿ＲＥＳＯＵＲＣＥ＿ｋ”のＲＡＣＨ伝送資源は、シグネチャー、サブチャンネル、及び持続値を含む。
【００７４】
一方、上記ＲＡＣＨ伝送資源は、ＡＳＣ別に割り当てられるので、“ＡＳＣ＿ｉ”に割り当てられたＲＡＣＨ伝送資源は、下記式（３）によって決定されることができる。
【００７５】
【数３】
2006515737.tif 000005
【００７６】
式（３）において、“シグネチャー＿I”は、“ＡＳＣ＿ｉ”に割り当てられたシグネチャーを示し、上記“サブチャンネル＿ｉ”は、上記“ＡＳＣ＿ｉ”に割り当てられたサブチャンネルを示す。ここで、上記サブチャンネルは、アクセススロットセットに該当し、ＲＡＣＨ資源に対するタイミング情報を反映する。また、“持続値＿ｉ”は、上記“ＡＳＣ＿ｉ”に割り当てられた持続値を示す。１つのシステムには、最大１２個のサブチャンネルが存在することができ、１つのＡＳＣに対しては、複数のサブチャンネルが割り当てられることができる。上記式（３）は、“ＡＳＣ＿ｉ”に割り当てられたシグネチャー、アクセススロット、及び持続値を任意の関数“ｆ”に適用することによって決定されることができる。ここで、関数“ｆ”は、システムによって設定されてもよい。
【００７７】
同様に、Ｈ個のＡＳＣが使用される場合、式（２）に示したＲＡＣＨ＿ＲＥＳＯＵＲＣＥ＿ｋは、下記式（４）の通りである。
【００７８】
【数４】
2006515737.tif 000006
【００７９】
式（４）において、“Ｗｅｉｇｈｔ＿ｉ”は、“ＡＳＣ＿ｉ”に与えられる加重値を意味し、上記グループシグナリングメッセージに従って要求されたＲＡＣＨの総伝送資源量のうち、“ＡＳＣ＿ｉ”に基づく比率を意味する。例えば、全体１０個のＲＡＣＨメッセージが発生され、そのうち、３つは、“ＡＳＣ １”に属し、残りの７つは、“ＡＳＣ ２”に属すると、“Ｗｅｉｇｈｔ＿ｉ”は、０．３、“Ｗｅｉｇｈｔ＿２”は、０．７ 、そして、他の加重値は、０である。上記ＢＯＷ値を計算するとき、ＲＮＣは、ＡＳＣ別のＲＡＣＨ使用ヒストリーを参照して、各ＡＳＣの加重値を計算することができる。
【００８０】
上述したように、“ＲＡＣＨ＿ＲＥＳＯＵＲＣＥ＿Ｘ”を定義する各種要素は、ＲＮＣが認知している値であり、必要な場合、即座に算出されることができる。上述した関数は、システムの状況によって適切に定義される必要がある。
【００８１】
下記では、特定の値を使用してＢＯＷ＿Ｘ＿Ｙ値を決定する手順を例に挙げて説明する。
【００８２】
セルＸ内に１つのＲＡＣＨが存在し、上記ＲＡＣＨには、ＡＳＣ ０〜ＡＳＣ ７の８個のＡＳＣが構成されており、上記ＡＳＣに割り当てられているＲＡＣＨ伝送資源は、下記の通りである。
【００８３】
すなわち、“ａ”個の同一のシグネチャー及び“ｂ”個のサブチャンネルがＡＳＣのそれぞれに割り当てられる。ＡＳＣ ０の持続値は、“１”であり、残りのＡＳＣの持続値は、“ｐ”である。また、ＡＳＣの加重値は、すべて“１／８”である。すなわち、すべてのＡＳＣが適切に使用される。
【００８４】
ＡＳＣ別ＲＡＣＨ伝送資源、すなわち、ＲＡＣＨ＿ＲＥＳＯＵＲＣＥ＿ＡＳＣを各ＡＳＣのシグネチャーの個数、サブチャンネル個数、及び持続値の積と定義されると、ＲＡＣＨ＿ＲＥＳＯＵＲＣＥ＿ＡＳＣ＿０=ａ＊（ｂ／１２）＊ １である。ここで、“１２”は、サブチャンネルの総数であり、“１”は、持続値ＡＳＣ ０を意味する。また、ＲＡＣＨ＿ＲＥＳＯＵＲＣＥ＿ＡＳＣ＿ｉ（ここで、ｉは、１〜７）＝ａ＊（ｂ／１２）＊ｐである。
【００８５】
従って、ＲＡＣＨ＿ＲＥＳＯＵＲＣＥ
= ＳＵＭ［ｉ＝０〜７］［Ｗｅｉｇｈｔ＿ｉ＊ＲＡＣＨ＿ＲＥＳＯＵＲＣＥ＿ＡＳＣ＿ｉ］ 
=（１／８）＊ＳＵＭ［ｉ＝０〜７］［ａ＊（ｂ／１２）＊ｐ＿ｉ］ 
=（１／８）＊８＊ａ＊（ｂ／１２）＊[（１＋７ｐ）／８] 
になる。
【００８６】
また、上記式（１）に示した“ＢＯＷ＿Ｘ＿Ｙ”は、下記式（５）のように具体的に表現されることができる。
【００８７】
【数５】
2006515737.tif 000007
【００８８】
上記式（５）において、上記“ＢＯＷ＿Ｘ＿Ｙ”は、各セルでＲＡＣＨを介してメッセージを伝送するＵＥの数と比例し、セル別に使用可能なＲＡＣＨ伝送資源と反比例するように決定されることが望ましい。
【００８９】
そうすると、上記一例の場合、“ＢＯＷ＿Ｘ＿Ｙ”は、下記のように表現される。
【００９０】
ＢＯＷ＿Ｘ＿Ｙ＝ｚ＊ＮＯ＿ＵＥ＿Ｘ＿Ｙ／[ａ＊ｂ＊（１＋７ｐ）／９６] 
【００９１】
ここで、“ｚ”は、任意の定数であって、“ＢＯＷ＿Ｘ＿Ｙ”を適切な大きさに調整するための係数値である。
【００９２】
図５をさらに参照すると、ステップ５０２で、ＵＥは、ステップ５０１で受信された“ＢＯＷ＿Ｘ＿Ｙ”を用いてバックオフ値を算出する。上記バックオフ値は、Ｒ［ＢＯＷ＿Ｘ＿Ｙ］として算出され、無線フレーム（radio frame）単位に算出される。Ｒ［ＢＯＷ］は、０とＢＯＷとの間の整数のうち、同一の確率で選択された１つの値を意味する。従って、ステップ５０２で、ＭＢＭＳサービスＹに対するグループシグナリングメッセージを受信するＵＥのＲＡＣＨ伝送開始時点は、“０”と“ＢＯＷ＿Ｘ＿Ｙ”値との間の値に該当する期間の間にランダムに選択される。上記グループシグナリングメッセージを受信するＵＥは、上り方向専用チャンネルが割り当てられていないことを確認した後、ステップ５０３に進行して、ＲＡＣＨを介して応答を伝送することができるようにする。このとき、次のステップ５０３乃至５０８を遂行する前に、ＵＥは、ステップ５０２で算出されたバックオフ値に対応する個数の無線フレームだけ待機する。
【００９３】
図５に示すステップ５０３乃至５０８は、図４に示したステップ４０２乃至４０７と同一である。すなわち、ステップ５０３で、ＵＥは、ＲＡＣＨを介して伝送されるデータストリームに該当するＡＳＣの持続値を用いて“ｐ”検査を実施する。上記“ｐ”検査が成功的に遂行される場合、ＵＥは、ステップ５０４に進行する。一方、上記“ｐ”検査が失敗する場合、所定の時間の間に待機した後、“ｐ”検査を再び実施する。
【００９４】
ステップ５０４で、ＵＥは、該当ＡＳＣの使用可能なシグネチャー中選択された１つのシグネチャーを用いてＲＡＣＨプリアンブルをコーディングし、所定の初期電力で上記コーディングされたプリアンブルを伝送する。ステップ５０５で、ＵＥは、ＡＩＣＨを監視する。ここで、応答メッセージが感知されなかったら、ＵＥは、ステップ５０７に進行する。ＵＥは、該当ＡＳＣの使用可能なシグネチャーのうちの１つをさらに選択し、伝送電力を所定のステップサイズだけ増加させた後、ステップ５０４に戻って、ＲＡＣＨプリアンブルをさらに伝送する。
【００９５】
ＡＣＫ信号がＡＩＣＨから感知されたら、ＵＥは、ステップ５０６に進行して、ＲＡＣＨデータを伝送する。一方、ＮＡＣＫ信号がＡＩＣＨから感知されたら、ＵＥは、ステップ５０８に進行する。ＵＥは、“ＮＢＯ＿１＊１０ｍｓ”の時間の間待機した後、ステップ５０３に戻る。
【００９６】
図６は、本発明の望ましい実施形態を適用するために必要なメッセージのフローを示す。
【００９７】
図６を参照すると、ステップ６０１で、ＳＧＳＮは、ＭＢＭＳサービスを提供する間に、ＭＢＭＳサービスに対するグループシグナリング動作が実行されなければならないか否かを決定する。例えば、特定のＭＢＭＳサービスの受信を希望するＵＥを把握できるように通知応答（Notification Response）を受信しようとするとき、ＳＧＳＮは、Ｉｕインターフェースを介してＮＯＴＩＦＩＣＡＴＩＯＮメッセージをＲＮＣへ伝送する。
【００９８】
ＳＧＳＮから生成されて、Ｉｕインターフェースを介してＲＮＣへ伝送されたグループシグナリングメッセージは、“グループシグナリングメッセージ＿Ｉｕ”６０２で示される。上記グループシグナリングメッセージ＿Ｉｕ ６０２は、下記のような構成要素を含む。
【００９９】
１．上記グループシグナリングメッセージ＿Ｉｕ ６０２の種類及び用途に従って適切に挿入される一般的なパラメーター、例えば、ＮＯＴＩＦＩＣＡＴＩＯＮメッセージに含まれたＭＢＭＳサービス識別子及びページングコーズ（paging cause）になることができる。
【０１００】
２．上記グループシグナリングメッセージ＿Ｉｕ ６０２は、該当ＭＢＭＳサービスに関連した無線資源制御（Radio Resource Control；ＲＲＣ）接続モードにあるＵＥのリストを含み、ＵＥのリストは、ＲＮＣに貯蔵されている。ＵＥのリストがすでに貯蔵されたら、上記グループシグナリングメッセージ＿Ｉｕ ６０２は、ＵＥのリストを含まない。
【０１０１】
３．上記グループシグナリングメッセージ＿Ｉｕ ６０２は、ＲＮＣに含まれているＲＡ中、該当ＭＢＭＳサービスに関連するアイドルモードのＵＥが位置しているＲＡのリストと、各ＲＡに位置しているアイドルモードのＵＥの数とを含む。ＲＡは、アイドルモードのＵＥが新たなＲＡに移動する場合、位置登録を更新しなければならない地域である。ＲＡは、複数のセルで構成される。ＲＮＣは、ＲＡとセルとの関係を認知するか、又は、特定のＲＡを構成するセルを認知する。
【０１０２】
ステップ６０３で、ＲＮＣは、グループシグナリング（ＧＳ）を実行しなければならないか否かを決定する。このような決定は、ＳＧＳＮからグループシグナリングメッセージ＿Ｉｕ ６０２を受信したか、又は、ＲＮＣ自体に必要性が発生した場合に行われる。前者の場合は、ＮＯＴＩＦＩＣＡＴＩＯＮメッセージ伝送に該当し、後者の場合は、ＭＢＭＳを提供する無線ベアラーを変更する場合に該当する。
【０１０３】
ＲＮＣは、ステップ６０３のようにグループシグナリングの必要性が発生されると判断すると、ステップ６０４で、グループシグナリングを実施するセルの“ＮＯ＿ＵＥ＿Ｘ＿Ｙ”を確認する。ここで、“ＮＯ＿ＵＥ＿Ｘ＿Ｙ”は、接続モードのＵＥの個数を示す“ＮＯ＿ＵＥ＿Ｘ＿Ｙ＿ＣＯＮＮＥＣＴＥＤ”とアイドルモードのＵＥの個数を示す“ＮＯ＿ＵＥ＿Ｘ＿Ｙ＿ＩＤＬＥ”との和として計算される。
【０１０４】
一方、ＲＮＣは、ＳＧＳＮから受信されたＵＥリストに含まれたＵＥをセル別に分類した後、セルＸに位置したＵＥの数を“ＮＯ＿ＵＥ＿Ｘ＿Ｙ＿ＣＯＮＮＥＣＴＥＤ”として見なす。
【０１０５】
また、ＲＮＣは、ＳＧＳＮから受信された“ＲＡ＿ＮＯ＿ＵＥ”を用いて“ＮＯ＿ＵＥ＿Ｘ＿Ｙ＿ＩＤＬＥ”値を下記のように推定する。
【０１０６】
まず、セルＸを含むＲＡを“ＲＡ＿Ｘ”で示し、“ＲＡ＿Ｘ”に位置したアイドルモードのＵＥの数を“ＲＡ＿Ｘ＿ＮＯ＿ＵＥ”で示し、“ＲＡ＿Ｘ”に含まれたセルの個数を“ＲＡ＿Ｘ＿ＮＯ＿ＣＥＬＬ”で示す場合、“ＮＯ＿ＵＥ＿Ｘ＿Ｙ＿ＩＤＬＥ”は、“ＲＡ＿Ｘ＿ＮＯ＿ＵＥ”の値を“ＲＡ＿Ｘ＿ＮＯ＿ＣＥＬＬ”の値で割った結果値である。
【０１０７】
一方、上記“ＮＯ＿ＵＥ＿Ｘ＿Ｙ”の値を求めた後、ＲＮＣは、ステップ６０５で、上述した“ＢＯＷ＿Ｘ＿Ｙ”値の決定方法を使用して、すなわち、上記式（５）を参照して、“ＢＯＷ＿Ｘ＿Ｙ”の値を算出する。
【０１０８】
Ｕｕインターフェースを介して伝送されるグループシグナリングメッセージを“グループシグナリングメッセージ＿Ｕｕ” ６０６で示す場合、ＲＮＣは、グループシグナリングメッセージ＿Ｕｕ ６０６に下記パラメーターを含む。Ｕｕインターフェースは、ＵＥとＵＴＲＡＮとのインターフェースである[Details of Multimedia Broadcast/Multicast Service Architecture and Functional Description state 2 in the 3rd Generation Partnership Project (3GPP) Technical Specification (TS) 23.246.]。グループシグナリングメッセージ＿Ｕｕ” ６０６は、ＮＯＴＩＦＩＣＡＴＩＯＮメッセージ、ＭＢＭＳ ＲＢ ＳＥＴＵＰメッセージなどを含む。
【０１０９】
１．上記グループシグナリングメッセージ＿Ｕｕ ６０６の種類及び用途に従って適切に挿入される一般的なパラメーター、例えば、ＮＯＴＩＦＩＣＡＴＩＯＮメッセージに含まれたＭＢＭＳサービス識別子及びページングコーズ（paging cause）になることができる。
【０１１０】
２．上記グループシグナリングメッセージ＿Ｕｕ ６０６は、ステップ６０５で算出された“ＢＯＷ＿Ｘ＿Ｙ”の値を含む。
【０１１１】
グループシグナリングメッセージ＿Ｕｕ ６０６を受信すると、ＵＥは、ステップ６０７で、上記 メッセージに含まれている“ＢＯＷ＿Ｘ＿Ｙ”の値を用いてバックオフ値を算出した後、上記算出されたバックオフ値に該当する時間区間の間に待機する。ステップ６０８で、ＵＥは、ＲＡＣＨ伝送動作の遂行を開始する。
【０１１２】
以下には、本発明の実施形態によってＲＮＣが“ＢＯＷ＿Ｘ＿Ｙ”の値を算出する過程を、図７を参照して説明する。すなわち、ＲＮＣが図６に示すような“ＢＯＷ＿Ｘ＿Ｙ”の値を決定する過程を図７を参照して詳細に説明する。
【０１１３】
上述した通り、“ＲＡＣＨ＿ＲＥＳＯＵＲＣＥの値”及び“ＮＯ＿ＵＥ＿Ｘ＿Ｙ”の値”は、“ＢＯＷ＿Ｘ＿Ｙ”の値を適切に計算して決定するのに必要な２つの要素として計算される。
【０１１４】
上記“ＲＡＣＨ＿ＲＥＳＯＵＲＣＥ”の値は、現在使用可能なＲＡＣＨの数を意味し、上記“ＮＯ＿ＵＥ＿Ｘ＿Ｙ”の値は、ＲＡＣＨを介して応答するようになるＵＥの数を意味する。従って、“ＢＯＷ＿Ｘ＿Ｙ”の値がＵＥの数に比例するように設定されることが望ましく、上記式（５）に示すような上記ＲＡＣＨの数とは反比例して設定されることが望ましい。
【０１１５】
図７を参照すると、ステップ７００で、各ＡＳＣに対する“ＲＡＣＨ＿ＲＥＳＯＵＲＣＥ＿ＡＳＣ”の値が計算される。このとき、“ＲＡＣＨ＿ＲＥＳＯＵＲＣＥ＿ＡＳＣ”の値は、すべてのＡＳＣに対して割り当てられたサブチャンネルに対して計算される。すると、ステップ７０２で、ＲＮＣは、上記計算された“ＲＡＣＨ＿ＲＥＳＯＵＲＣＥ＿ＡＳＣ”の値に加重値を与え、上記加重値を含む“ＲＡＣＨ＿ＲＥＳＯＵＲＣＥ＿ＡＳＣ”の値の和を計算する。これによって、ステップ７０２で、“ＲＡＣＨ＿ＲＥＳＯＵＲＣＥ＿ＡＳＣ”の値が算出される。
【０１１６】
一方、上記“ＢＯＷ＿Ｘ＿Ｙ”の値を決定するのに必要な他の要因である“ＮＯ＿ＵＥ＿Ｘ＿Ｙ”の値を算出するためには、ステップ７０４及び７０６で、“ＮＯ＿ＵＥ＿Ｘ＿Ｙ＿ＣＯＮＮＥＣＴＥＤ”の値及び“ＮＯ＿ＵＥ＿Ｘ＿Ｙ＿ＩＤＬＥ”の値をそれぞれ計算する。上記“ＮＯ＿ＵＥ＿Ｘ＿Ｙ＿ＩＤＬＥ”の値は、直接的に算出されることが難しいので、“ＮＯ＿ＵＥ＿Ｘ＿Ｙ＿ＩＤＬＥ” の値を“ＲＡ＿ＮＯ＿ＵＥ”の値を用いて推定することが望ましい。
【０１１７】
ステップ７０８で、上記算出された“ＮＯ＿ＵＥ＿Ｘ＿Ｙ＿ＣＯＮＮＥＣＴＥＤ”の値と上記推定された“ＮＯ＿ＵＥ＿Ｘ＿Ｙ＿ＩＤＬＥ”の値とを合わせて、“ＮＯ＿ＵＥ＿Ｘ＿Ｙ”の値を計算する。ステップ７１０で、上記算出された“ＲＡＣＨ＿ＲＥＳＯＵＲＣＥ”の値及び上記“ＮＯ＿ＵＥ＿Ｘ＿Ｙ”の値を使用して上記式（５）によって計算することによって、最終的に“ＢＯＷ＿Ｘ＿Ｙ”の値を算出する。
【０１１８】
以下、図８を参照して、実際のメッセージ交換動作を説明する。図８において、図８及び図２に示す同一の動作については、同一の参照番号を使用し、図２を参照して説明されたので、その説明は省略する。
【０１１９】
ステップ８００で、ＣＮは、ＭＢＭＳの特定サービスを提供するために、上記ＭＢＭＳサービスに加入したＵＥにサービス通知（Service Announcement）を遂行する。ステップ２０１及びステップ２０２で、ＳＧＳＮは、複数のＵＥからＭＢＭＳサービスＹに対してＡＣＴＩＶＡＴＥ ＭＢＭＳ ＰＤＰ ＣＯＮＴＥＸＴ ＲＥＱＵＥＳＴメッセージを集める。ステップ８０１で、ＳＧＳＮは、ＲＮＣ別にＵＥリスト及び“ＲＡ＿ＮＯ＿ＵＥ”情報を更新する。ステップ８０２で、ＳＧＳＮは、ＮＯＴＩＦＩＣＡＴＩＯＮメッセージをＲＮＣへ伝送する。上記ＮＯＴＩＦＩＣＡＴＩＯＮメッセージは、上記更新されたＵＥリスト及び“ＲＡ＿ＮＯ＿ＵＥ”の情報を含む。
【０１２０】
ステップ８０３で、ＲＮＣは、上記ＵＥリスト及び上記“ＲＡ＿ＮＯ＿ＵＥ”の情報を参照して、“ＮＯ＿ＵＥ＿Ｘ＿Ｙ＿ＣＯＮＮＥＣＴＥＤ”の値及び“ＮＯ＿ＵＥ＿Ｘ＿Ｙ＿ＩＤＬＥ”の値を算出し、“ＢＯＷ＿Ｘ＿Ｙ”の値を計算した後、ＮＯＴＩＦＩＣＡＴＩＯＮメッセージをＵｕインターフェースを介して伝送する。
【０１２１】
ステップ２０５で、ＭＢＭＳサービスＹの受信を望むＵＥは、上記“ＢＯＷ＿Ｘ＿Ｙ”の値を用いてバックオフ値を算出した後、上記算出されたバックオフ値に該当する時間区間の間待機してＲＡＣＨ伝送動作の遂行を開始する。すなわち、ＲＡＣＨプリアンブル伝送が成功すると、各ＵＥは、ＮＯＴＩＦＩＣＡＴＩＯＮ ＲＥＳＰＯＮＳＥメッセージを伝送する。
【０１２２】
ＳＧＳＮは、ＵＥからＮＯＴＩＦＩＣＡＴＩＯＮ ＲＥＳＰＯＮＳＥメッセージを受信し、ＵＥリスト及び“ＲＡ＿ＮＯ＿ＵＥ”情報を更新し、ステップ８０４で、ＭＢＭＳ ＲＢ ＡＳＳＩＧＮＭＥＮＴ ＲＥＱＵＥＳＴメッセージを伝送する。ここで、上記メッセージは、上記更新されたＵＥリスト及び“ＲＡ＿ＮＯ＿ＵＥ”情報を含む。
【０１２３】
ＲＮＣは、上記ＭＢＭＳ ＲＢ ＡＳＳＩＧＮＭＥＮＴ ＲＥＱＵＥＳＴメッセージを受信すると、ステップ８０３と同様に、“ＢＯＷ＿Ｘ＿Ｙ”の値を算出し、ステップ８０５で、上記算出された“ＢＯＷ＿Ｘ＿Ｙ”の値を含むＭＢＭＳ ＲＢ ＳＥＴＵＰメッセージを伝送する。ステップ８０６で、各ＵＥは、上記算出された“ＢＯＷ＿Ｘ＿Ｙ”の値を用いてバックオフ値を算出し、上記バックオフ値に該当する時間区間の間待機した後、ＭＢＭＳ ＲＢ ＳＥＴＵＰ ＣＯＭＰＬＥＴＥメッセージを伝送する。ステップ２０９で、ＲＮＣは、ＭＢＭＳ ＲＢ ＡＳＳＩＧＮＭＥＮＴ ＲＥＳＰＯＮＳＥメッセージをＳＧＳＮへ伝送し、ステップ８０７で、上記割り当てられたＲＢを用いてＭＢＭＳデータが伝送される。本発明の望ましい実施形態に従って、接続モードにあるＵＥの個数を示す“ＮＯ＿ＵＥ＿Ｘ＿Ｙ＿ＣＯＮＮＥＣＴＥＤ”及びアイドルモードにあるＵＥの個数を示す“ＮＯ＿ＵＥ＿Ｘ＿Ｙ＿ＩＤＬＥ”は、ステップ８０２又はステップ８０４で、ＲＮＣによって初期化することができる。上記パラメータが初期化した後に、グループシグナリングメッセージ＿Ｉｕは、ＵＥリスト及び“ＲＡ＿ＮＯ＿ＵＥ”値の中、以前の値とは異なる情報のみを含む。この場合、グループシグナリングメッセージ＿Ｉｕが伝送されることができるように、該当パラメータを用いる。
【０１２４】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【０１２５】
【図１】従来技術によるＭＢＭＳサービスシステムネットワークの構成を示す概略的なブロック図である。
【図２】従来技術によるＭＢＭＳサービスのメッセージを交換する手順を示すフローチャートである。
【図３】従来技術による複数の加入者がＲＡＣＨを使用する場合を示す図である。
【図４】従来技術によるＲＡＣＨを介してデータを伝送する動作を示すフローチャートである。
【図５】本発明の実施形態によるＲＡＣＨの動作を示す流れ図である。
【図６】本発明の実施形態によるネットワーク構成要素の動作を示すフローチャートである。
【図７】本発明の実施形態によるＲＮＣでＢＯＷ（Back-off window）値を決定する手順を示すフローチャートである。
【図８】本発明の実施形態によるＭＢＭＳサービスのメッセージを交換する手順を示すフローチャートである。
【符号の説明】
【０１２６】
１３０  ＳＧＳＮ、
１４０  ＲＮＣ
１６０  第１のＮｏｄｅ Ｂ
１７０  第２のＮｏｄｅ Ｂ
【図１】
2006515737.tif 000008
【図２】
2006515737.tif 000009
【図３】
2006515737.tif 000010
【図４】
2006515737.tif 000011
【図５】
2006515737.tif 000012
【図６】
2006515737.tif 000013
【図７】
2006515737.tif 000014
【図８】
2006515737.tif 000015
【国際調査報告】
2006515737.tif 000016
2006515737.tif 000017